(57)【特許請求の範囲】
【請求項１】
先端面閉塞でかつ基端面開口の外筒１と、該外筒内へ回動不能に嵌合させた、先端部に閉塞板13を有し、かつ基端面開口の内筒11と、上記外筒の基端部外面へ、端板22外周から突出させた周壁23の先端部を、かつ内筒11の基端部内面へ、端板22から突出させたガイド筒24先端部を、それぞれ回動および強制着脱が可能に嵌合させると共に、端板22中心部から上記内外筒と同軸にガイド筒内を通って内筒11内へ軸筒25を突出する筒状回転体21とからなり、上記閉塞板13とガイド筒24先端面との間の内筒内空間をロール紙31の嵌合空間として、該空間外方の内筒第２筒壁部分の母線方向へロール紙繰出し用第２長孔16を、かつ第２長孔との間に小間隔をおいた、上記嵌合空間外方の外筒筒壁部分母線方向に第１長孔７を、それぞれ穿設し、又それ等第１、第２長孔間の内外筒壁部分間にロール紙繰出し用小間隙を設け、又第２長孔16側の第１長孔７内端縁を断面鋭角状のロール紙切断用カッター８とし、又外筒１の先端部閉塞壁３の内面と、内筒11の先端部閉塞板13の外面とから、互いに嵌合する第１、第２嵌合短筒５,15 を突出させて、これ等両筒の各嵌合面に互いに噛み合う凹凸条を縦設して、外筒１に対する内筒11の回動が不能とした
ことを特徴とするロール紙繰出し容器。
【請求項２】
上記第１、第２長孔７,16 を、外筒および内筒の基端面へそれぞれ開口させて穿設した  ことを特徴とする請求項１記載のロール紙繰出し容器。
【請求項３】
上記外筒１および内筒11の各筒壁２,12 をそれぞれ円筒状に形成すると共に、第１、第２長孔７,16 間の内筒筒壁部分外面の半径を小とすることで、該部分上面と外筒内面との間にロール紙繰出し部分用摺動路18を形成し、更に第２長孔16の第１長孔側内縁を外方へ拡開する断面鋭角状の案内部17とした
ことを特徴とする請求項１又は２記載のロール紙繰出し容器。
【発明の詳細な説明】
【０００１】
【発明の属する技術分野】
本発明は薄紙状のロール紙繰出し容器に関する。
【０００２】
【従来の技術】
例えばティッシュ或いはあぶら取り紙等の薄紙を収納するケースとして、可撓性を有する袋状のケースにスリット状の取出し口を形成し、折り畳んだ多数の紙を収納し、一枚取り出すと次の紙の端部が取出し口から突出するよう構成したケースが知られている。
【０００３】
【発明が解決しようとする課題】
上記従来例では一枚宛折り畳んだ紙を引出し出来るよう設けているが、これをロール紙にすれば、メーカーにとっては一枚宛に切断したり、折畳みする手数がなく、又消費者にとっても必要なだけ取出した後に切断できるから必要な大きさの紙を得ることが出来る便利がある。
【０００４】
本発明はそのような点を考慮して、使用上便利なロール紙繰出し容器を提案するものである。
【０００５】
【課題を解決するための手段】
第１の手段として、先端面閉塞でかつ基端面開口の外筒１と、該外筒内へ回動不能に嵌合させた、先端部に閉塞板13を有し、かつ基端面開口の内筒11と、上記外筒の基端部外面へ、端板22外周から突出させた周壁23の先端部を、かつ内筒11の基端部内面へ、端板22から突出させたガイド筒24先端部を、それぞれ回動および強制着脱が可能に嵌合させると共に、端板22中心部から上記内外筒と同軸にガイド筒内を通って内筒11内へ軸筒25を突出する筒状回転体21とからなり、上記閉塞板13とガイド筒24先端面との間の内筒内空間をロール紙31の嵌合空間として、該空間外方の内筒第２筒壁部分の母線方向へロール紙繰出し用第２長孔16を、かつ第２長孔との間に小間隔をおいた、上記嵌合空間外方の外筒筒壁部分母線方向に第１長孔７を、それぞれ穿設し、又それ等第１、第２長孔間の内外筒壁部分間にロール紙繰出し用小間隙を設け、又第２長孔16側の第１長孔７内端縁を断面鋭角状のロール紙切断用カッター８とし、又外筒１の先端部閉塞壁３の内面と、内筒11の先端部閉塞板13の外面とから、互いに嵌合する第１、第２嵌合短筒５,15 を突出させて、これ等両筒の各嵌合面に互いに噛み合う凹凸条を縦設して、外筒１に対する内筒11の回動が不能とした。
【０００６】
第２の手段として、上記第１の手段を有すると共に上記第１、第２長孔７,16 を、外筒および内筒の基端面へそれぞれ開口させて穿設した。
【０００７】
第３の手段として、上記第１又は第２の手段を有すると共に上記外筒１および内筒11の各筒壁２,12 をそれぞれ円筒状に形成すると共に、第１、第２長孔７,16 間の内筒筒壁部分外面の半径を小とすることで、該部分上面と外筒内面との間にロール紙繰出し部分用摺動路18を形成し、更に第２長孔16の第１長孔側内縁を外方へ拡開する断面鋭角状の案内部17とした。
【０００９】
【発明の実施の形態】
本発明容器は外筒と、内筒と、筒状回転体とからなる。
【００１０】
外筒１は、第１筒壁２の先端面を閉塞し、基端面を開口する。該外筒は第１筒壁２を円筒状に形成するとよく、その先端部は外方へ半球面状に張出す閉塞壁３とし、該閉塞壁の中央部からは内面に複数凹条４を縦設した第１嵌合短筒５を第１筒壁と同軸に内方へ突出している。又第１筒壁２の基端部外面は小外径とし、かつその小外径部分の中間部には第１係合突条６を周設している。更に第１筒壁２には両端部を残して母線方向へ長く第１長孔７を穿設している。尚該第１長孔については後述する。
【００１１】
11は内筒で、上記外筒の第１筒壁２内へ第２筒壁12を回動不能に嵌合させている。該第２筒壁も円筒状とするがよい。該内筒は先端部内面に閉塞板13を有し、該閉塞板中央部からは外面に複数凸条14を縦設した第２嵌合短筒15を先方へ突出し、上記凸条14を凹条４と噛合せて第１嵌合短筒５内へ回動不能に嵌合させている。該内筒の第２筒壁12にも図２のように第２長孔16を母線方向へ穿設している。該第２長孔についても後述する。
【００１２】
21は筒状回転体で、上記外筒１の基端部外面へ端板22外周から突出させた周壁23の先端部を、又内筒11の基端部内面へ、端板22から突出させたガイド筒24の先端部を、それぞれ回動および強制着脱が可能に嵌合させ、更に端板22中心部から上記周壁23およびガイド筒24と同軸に、従って内外筒11,1と同軸に軸筒25を突出させている。
【００１３】
周壁23の先端部は大内径として既述外筒第１筒壁２の基端部外面の小外径部へ嵌合させ、かつその大内径部分上部に周設した第２係合突条26を第１係合突条６へ係合させている。軸筒25はガイド筒24よりも長く設けておく。
【００１４】
既述内筒11の閉塞板13と、上記ガイド筒24の先端面との間の内筒内空間をロール紙31嵌合空間とするもので、該空間内へロール紙31を嵌合させ、該ロール紙が有する軸孔32内へ上記軸筒25を回動不能に挿入させて、外筒および内筒の基端部内へ回転体21の周壁23およびガイド筒24の先端部を嵌合可能とする。
【００１５】
又既述外筒の第１長孔７と内筒の第２長孔16とは、図２が示すようにそれ等両長孔の間に小間隔をおいて穿設するものとし、第２長孔16側の第１長孔７の内端縁は、第２長孔および第１長孔を介して容器外方へ繰出しされたロール紙部分の切断を容易とするため、その内端縁断面を鋭角状のカッター８としている。又第１長孔側の第２長孔16口縁は外方へ拡開する、断面鋭角状で先端縁を面取りした案内部17とするがよい。更に上記第１、第２長孔７,16 間内筒の第２筒壁部分の外面半径は、他の第２筒壁部分の外面半径よりも多少短かくして、それ等第１、第２長孔間の第２筒壁部分外面と、外筒第１筒壁部分内面との間はロール紙繰出し部分の摺動路18としている。尚第１、第２長孔７,16 の長さはロール紙31の横巾とほぼ同一であり、既述ロール紙嵌合空間の一端から他端まで第２長孔16を穿設し、第１長孔７はその嵌合空間の一端から他端までの第２筒壁部分外方の第１筒壁部分へ穿設している。但しロール紙セットの便利性からはそれ等両長孔を第１、第２筒壁基端面へ開口させて穿設することが望ましい。
【００１６】
既述各部材はそれぞれ合成樹脂材で成形するとよい。尚外筒１の閉塞壁３からは図３が示すように逆Ｕ字状の紐通し９を突出させている。
【００１７】
上記容器の使用は次のように行うことが出来る。既述外筒１および内筒11から回転体21を外した状態で、ガイド筒24から突出する回転体の軸筒25部分をロール紙31の軸孔32内へ回動不能に固嵌めさせ、次いでロール紙端部を繰出して内筒11の第２長孔16に通し、更にロール紙を繰出してその端部を外筒の第１長孔７に通し、該状態から内筒の第２筒壁12をロール紙外面へ、又外筒の第１筒壁２を内筒11外面へ嵌合させる。上記第１、第２長孔内へのロール紙繰出し部分の挿通は、既述のように各長孔を各筒壁先端面まで開口させて設けておくことで、それ等開口を介して行えば便利である。
【００１８】
上記のように容器内へロール紙をセットした後、図示例にあっては回転体21を外筒１に対して時計回り方向へ回せばロール紙は内筒および外筒に対して繰出し方向へ回されて繰出しされる。尚このときその回転と同時にロール紙端部33を引けばその繰出しは更に容易となる。必要長さ繰出した後、カッター８へ紙が当たるよう折返して引くことで容易に切断することが出来る。
【００１９】
【発明の効果】
本発明は既述構成とするものであり、請求項１記載のようにすることで、ロール紙を必要長さだけ引出した後に切断することで従来のように定まった長さの紙を多数使用する不便がなく、又ロール紙として使用するから従来のように所定長さに切断したり、又折畳む手数がなく、カッター８を付設したからロール紙の切断が容易である。又ロール紙は内筒と外筒とで第２長孔と第１長孔とをずらして二重に覆われているため汚れることがなく、ロール紙の繰出しも容易である。又内筒11と外筒１とを回動不能に確実に嵌合できる。
【００２０】
請求項２のようにすることで容器内へのロール紙の装着が容易となる。
【００２１】
請求項３のようにすることでロール紙繰出し用摺動路18の形成が容易で、かつその繰出しが容易かつ確実となる。
【図面の簡単な説明】
【図１】    本発明容器の縦断面図である。
【図２】    図１Ａ−Ａ’線の横断面図である。
【図３】    図１容器の正面図である。
【符号の説明】
１…外筒                ７…第１長孔
８…カッター            11…内筒
16…第２長孔            18…摺動路
21…回転体              25…軸筒
31…ロール紙
【図１】
0003904816.tif 000002
【図２】
0003904816.tif 000003
【図３】
0003904816.tif 000004